【事件の表示】
　特願２００６−１１３３６７「表示装置」拒絶査定不服審判事件〔平成１９年１１月１日出願公開、特開２００７−２８６３４１、請求項の数（８）〕について、次のとおり審決する。
【結　論】
　原査定を取り消す。
　本願の発明は、特許すべきものとする。
【理　由】
第１　手続の経緯
　この審判事件に関する出願（以下、「本件出願」という。）は、平成１８年４月１７日にされた特許出願である。そして、平成２３年１２月８日付け手続補正書により明細書及び特許請求の範囲についての補正がされた。さらに、平成２４年３月１９日付け手続補正書により明細書及び特許請求の範囲についての補正がされたが、この補正は、同年５月１８日付けの決定（以下、「補正の却下の決定」という。）をもって却下され、同日付けで拒絶査定がされた。査定の謄本は、同年同月２９日に送達された。
　これに対して、同年８月２２日に拒絶査定不服審判が請求され、同時に明細書及び特許請求の範囲についての補正（以下、「本件補正」という。）がされた。そして、特許法第１６２条の規定による審査において、同年１１月３０日付けで同法第１６４条第３項の規定による報告がされた。
　当審は、同法第１３４条第４項の規定に基づき、平成２５年２月６日付けで請求人を審尋し、同報告に対する意見を求めた。これに対して、請求人は、同年４月３０日付け回答書を提出した。
　
第２　本件補正の適否（１）
１．本件補正の内容
　本件補正は、特許請求の範囲の請求項１についての補正と明細書の段落０００８についての補正とを含む。
　
（１）請求項１についての補正
　請求項１についての補正は、本件補正前（平成２３年１２月８日付け手続補正書による補正の後をいう。以下同じ。）の請求項１を、以下のように補正するものである。なお、下線は、請求人が付したものであり、補正箇所を示す。
　
（本件補正前）
「【請求項１】
　駆動電流に応じて発光する自発光素子を表示領域にマトリクス状に配置した表示装置であって、
　表示領域と異なる測定用画素内に形成され、表示領域に形成した有機ＥＬ素子と同じ工程で形成される測定用自発光素子と、
　前記測定用画素内に形成され、前記測定用自発光素子に流れる駆動電流をオンオフにより制御する駆動トランジスタと、
　前記駆動トランジスタのゲートに駆動電圧を供給する駆動電圧供給手段と、
　前記駆動電圧供給手段により駆動電圧が供給されたときにおける測定用自発光素子の駆動状態を検出する駆動状態検出手段と、
　を有し、
　前記表示領域の自発光素子および測定用自発光素子は、赤（Ｒ）、緑（Ｇ）、青（Ｂ）の３色を有すると共に、
　前記駆動状態検出手段におけるＲＧＢ各色の測定用自発光素子の駆動状態から、所定のホワイトポイントで出力できるＲＧＢ各色の最大輝度を求め、得られた最大輝度の値が設定値に対し所定範囲内に収まっているかを判定し、収まっていれば前記ホワイトポイントを与える最大階調をＲＧＢ表示用画素の最大階調に設定し、ＲＧＢ表示用画素の表示データを設定する表示データ設定手段を有することを特徴とする表示装置。」
　
（本件補正後）
「【請求項１】
　駆動電流に応じて発光する自発光素子を表示領域にマトリクス状に配置した表示装置であって、
　表示領域と異なる測定用画素内に形成され、表示領域に形成した有機ＥＬ素子と同じ工程で形成される測定用自発光素子と、
　前記測定用画素内に形成され、前記測定用自発光素子に流れる駆動電流をオンオフにより制御する駆動トランジスタと、
　前記駆動トランジスタのゲートに駆動電圧を供給する駆動電圧供給手段と、
　前記駆動電圧供給手段により駆動電圧が供給されたときにおける測定用自発光素子の駆動状態を検出する駆動状態検出手段と、
　を有し、
　前記表示領域の自発光素子および測定用自発光素子は、赤（Ｒ）、緑（Ｇ）、青（Ｂ）の３色を有すると共に、
　
前記駆動状態検出手段は、ＲＧＢ各色の測定用自発光素子に共通して１系統備えられ、ＲＧＢの測定タイミングをずらして時分割でＲＧＢ各色の測定用自発光素子と接続することで駆動状態を検出し、
　
前記表示領域の自発光素子および測定用自発光素子に印加する電圧ＶＤＤ−ＶＳＳにおいて、電源電圧ＶＤＤを固定値とし、電源電圧ＶＳＳに初期値を設定することで、
し、前記最大輝度の値が設定値に対し所定範囲内に収まっていなければ、前記電源電圧ＶＳＳを輝度に応じて変更するようにして設定し直し、前記最大輝度の値が設定値に対し所定範囲内に収まるまで前記電源電圧ＶＳＳの設定し直す動作を繰り返すことで、所定のホワイトポイントを所定の輝度で実現する
　
　なお、請求項２から８までは、いずれも請求項１の記載を直接又は間接的に引用して記載した請求項であるから、請求項１についての補正がされた結果、請求項２から８までについても同じ補正がされた。
　
（２）段落０００８についての補正
　段落０００８についての補正は、補正前の段落０００８の記載を、本件補正後の請求項１の記載と整合させるものである。
　
２．新規事項の追加についての判断
　請求項１についての補正及び段落０００８についての補正は、本件出願の願書に最初に添付した明細書の段落００２９、００４０及び００４１並びに図面の図５及び７に記載された事項に基づくものであるから、本件出願の願書に最初に添付した明細書、特許請求の範囲又は図面に記載した事項の範囲内においてしたものである。
　したがって、本件補正は、いわゆる新規事項の追加には該当せず、特許法第１７条の２第３項に規定する要件を満たす。
　
３．本件補正の目的についての判断
　請求項１についての補正は、第一に、「駆動状態検出手段」を、「ＲＧＢ各色の測定用自発光素子に共通して１系統備えられ、ＲＧＢの測定タイミングをずらして時分割でＲＧＢ各色の測定用自発光素子と接続することで駆動状態を検出」するものに限定する補正である。
　第二に、「表示データ設定手段」が「前記駆動状態検出手段におけるＲＧＢ各色の測定用自発光素子の駆動状態から、所定のホワイトポイントで出力できるＲＧＢ各色の最大輝度を求め」る際に、「前記表示領域の自発光素子および測定用自発光素子に印加する電圧ＶＤＤ−ＶＳＳにおいて、電源電圧ＶＤＤを固定値とし、電源電圧ＶＳＳに初期値を設定する」点を限定し、さらに、「表示データ設定手段」を、「前記最大輝度の値が設定値に対し所定範囲内に収まっていなければ、前記電源電圧ＶＳＳを輝度に応じて変更するようにして設定し直し、前記最大輝度の値が設定値に対し所定範囲内に収まるまで前記電源電圧ＶＳＳの設定し直す動作を繰り返すことで、所定のホワイトポイントを所定の輝度で実現する」ものに限定する補正である。
　そうすると、請求項１についての補正は、本件補正前の請求項１に記載した発明を特定するために必要な事項を限定するものである。また、本件補正前の請求項１に記載された発明と本件補正後の請求項１に記載された発明とは、産業上の利用分野及び解決しようとする課題が同一である。
　上記１．（１）で述べたとおり、請求項１についての補正がされた結果、請求項２から８までについても同じ補正がされたが、請求項２から８までについての補正も、本件補正前の各請求項に記載した発明を特定するために必要な事項を限定するものである。そして、請求項２から８までに記載された発明の産業上の利用分野及び解決しようとする課題は、本件補正の前後を通じて同一である。
　したがって、本件補正のうち、特許請求の範囲についての補正は、特許法第１７条の２第４項第２号の特許請求の範囲の減縮を目的とするものに該当する。
　そこで、本件補正が特許法第１７条の２第５項で準用する同法第１２６条第５項の規定に適合するか（すなわち、本件補正後の請求項１から８までに記載された発明が特許出願の際独立して特許を受けることができるものであるか）について以下に検討する。
　なお、以下では、本件補正後の請求項１から８までに記載された発明を、対応する請求項の番号を用いて、「本件補正発明１」、「本件補正発明２」などという。
　
第３　本件補正の適否（２）−独立特許要件についての判断
１．刊行物に記載された事項
　以下に掲げる刊行物１から３までは、いずれも本件出願前に日本国内又は外国において頒布された刊行物である。刊行物１及び２は、原査定の拒絶の理由、補正の却下の決定及び審尋に引用され、刊行物３は、補正の却下の決定及び審尋に引用された。
　
　　刊行物１：特開２００２−３０４１５５号公報
　　刊行物２：特開２００２−２５８７９２号公報
　　刊行物３：国際公開第９８／４０８７１号
　
（１）刊行物１
ア．刊行物１の記載
　刊行物１には、以下の記載がある。
　
（ア）段落０００１
「【０００１】
【発明の属する技術分野】本発明は、基板上に形成された有機発光素子（ＯＬＥＤ：Organic Light Emitting Device）を、該基板とカバー材の間に封入したＯＬＥＤパネルに関する。また、該ＯＬＥＤパネルにＩＣを実装したＯＬＥＤモジュールに関する。なお本明細書において、ＯＬＥＤパネル及びＯＬＥＤモジュールを発光装置と総称する。本発明はさらに、該発光装置を用いた電子機器に関する。」
　
（イ）段落０００５から００１０まで
「【０００５】
【発明が解決しようとする課題】発光装置を実用化する上で、現在一つの重大な問題となっているのが、有機発光層が有する有機発光材料の劣化に伴う、ＯＬＥＤの輝度の低下である。
　【０００６】有機発光層が有する有機発光材料は水分、酸素、光、熱に弱く、これらのものによって劣化が促進される。…（略）…
　【０００７】有機発光層に一対の電極から一定の電圧をかけていても、有機発光層が劣化することで、ＯＬＥＤの輝度は低下する。そしてＯＬＥＤの輝度が低下すると、発光装置に表示される画像は不鮮明になる。なお本明細書において、一対の電極から有機発光層に印加する電圧をＯＬＥＤ駆動電圧（Ｖｅｌ）と定義する。
　【０００８】また、Ｒ（赤）、Ｇ（緑）、Ｂ（青）に対応した三種類のＯＬＥＤを用いたカラー化表示方式において、有機発光層を構成する有機発光材料は、ＯＬＥＤの対応する色によって異なる。ＯＬＥＤの有機発光層が、対応する色にごとに異なる速度で劣化すると、時間が経つにつれ、ＯＬＥＤの輝度が色ごとに異なってしまい、発光装置に所望の色を有する画像を表示することができなくなる。
　【０００９】さらに、ＯＬＥＤの発光輝度は大きな温度依存性を有するため、定電圧駆動すると、気温によって表示の輝度や、色合いが変わってしまうという問題もあった。
　【００１０】本発明は上述したことに鑑み、有機発光層が多少劣化したり、環境温度が変わったりしても、ＯＬＥＤの輝度の変化を抑え、安定して所望のカラー表示を行うことが可能な発光装置を提供することを課題とする。」
　
（ウ）段落００１１から００２６まで
「【００１１】
【課題を解決するための手段】本発明者は、ＯＬＥＤ駆動電圧を一定に保って発光させるのと、ＯＬＥＤに流れる電流を一定に保って発光させるのとでは、後者の方が、劣化によるＯＬＥＤの輝度の低下が小さいことにまず着目した。なお本明細書において、ＯＬＥＤに流れる電流をＯＬＥＤ駆動電流（Ｉｅｌ）と呼ぶ。
　【００１２】図２に、ＯＬＥＤ駆動電圧を一定にしたときと、ＯＬＥＤ駆動電流を一定にしたときの、ＯＬＥＤの輝度の変化を示す。図２に示すとおり、ＯＬＥＤ駆動電流が一定のＯＬＥＤの方が、劣化による輝度の変化が小さい。これは、ＯＬＥＤは劣化すると、Ｌ−Ｉ直線の傾きが小さくなるだけではなく、Ｉ−Ｖ曲線自体が下側に移動してしまうからである。（図１８（Ａ）、（Ｂ）参照）
　【００１３】よって本発明者は、劣化等によってＯＬＥＤ駆動電流が変化しても、常にＯＬＥＤ駆動電流が一定になるように、ＯＬＥＤ駆動電圧を補正することができる簡易な構成の発光装置を考案した。
　【００１４】具体的に本発明では、画像を表示するための画素部とは別に、ＯＬＥＤ駆動電流を測定するための画素部を発光装置に設けた。モニター用画素部も表示部として有効利用するために、何らかの画像を表示できることが好ましいが、画像表示が可能であることが必須なわけではない。以下本明細書では、上述した２つの画素部を明確に区別するために、映像を表示することを主眼とした画素部を表示用画素部（第１の画素部）、ＯＬＥＤ駆動電流を測定することを主眼とした画素部をモニター用画素部（第２の画素部）と呼ぶ。
　【００１５】表示用画素部とモニター用画素部は、互いに各画素の構成が同じであり、同じ回路図で表すことができる。そして、表示用画素部の画素（以下、表示用画素または第１の画素）とモニター用画素部の画素（以下、モニター用画素または第２の画素）がそれぞれ有するＯＬＥＤは、発光輝度が最大のときにおけるＯＬＥＤ駆動電圧が可変電源によって制御されており、好ましくは両電圧値は等しくなるように保たれる。
　【００１６】なお本明細書において可変電源とは、回路や素子に供給する電圧が一定ではなく可変である電源を意味する。
　【００１７】そしてさらに本発明の発光装置は、モニター用画素部のＯＬＥＤ（以下、モニター用ＯＬＥＤまたは第２のＯＬＥＤ）のＯＬＥＤ駆動電流を測定する第１の手段と、その測定値からＯＬＥＤに印加する電圧を算出する第２の手段と、実際に電圧値の制御を行う第３の手段とを有している。
　【００１８】なお、第２の手段は電流測定値と基準値の比較をする手段、第３の手段は測定値と基準値との間にある程度の差があった場合に、その差を縮めるように可変電源を制御し、表示用画素のＯＬＥＤ（以下、表示用ＯＬＥＤまたは第１のＯＬＥＤ）及びモニター用ＯＬＥＤのＯＬＥＤ駆動電圧を補正する手段であっても良い。
　【００１９】そして、モニター用画素部には、表示用画素部に入力するビデオ信号とは異なった系統のビデオ信号が入力されている。ただし、両ビデオ信号とも、階調の情報を含んでいるという点では同じであり、表示する画像の系統が別個であるにすぎない。以下、表示用画素部に入力するビデオ信号を表示用ビデオ信号、モニター用画素部に入力するビデオ信号をモニター用ビデオ信号と呼ぶ。
　【００２０】モニター用ＯＬＥＤのＯＬＥＤ駆動電流を測定するときは、モニター用画素部には、モニター用ビデオ信号によりモニター用の画像（以下、モニター用画像）が表示されている。モニター用画像は静止画でも動画でもどちらでも良い。また全ての画素において同じ階調を表示するようにしても良い。さらに、表示用ＯＬＥＤとモニター用ＯＬＥＤの劣化の度合いが同じくなるように、表示用ＯＬＥＤとモニター用ＯＬＥＤのＯＬＥＤ駆動電流の時間的に平均した値がほぼ同じになるような、モニター用画像を表示することが好ましい。
　【００２１】…（略）…
　【００２２】上記構成によって、本発明の発光装置は、有機発光層が劣化してもＯＬＥＤの輝度の低下を抑えることができ、その結果鮮明な画像を表示することができる。
　【００２３】また、Ｒ（赤）、Ｇ（緑）、Ｂ（青）に対応した三種類のＯＬＥＤを用いたカラー化表示方式の場合、各色に対応したモニター用画素部をそれぞれ設け、各色のＯＬＥＤごとにＯＬＥＤ駆動電流を測定し、ＯＬＥＤ駆動電圧を補正するようにしても良い。この構成によって、ＯＬＥＤの有機発光層が、対応する色にごとに異なる速度で劣化しても、各色の輝度のバランスが崩れるのを防いで所望の色を表示することができる。
　【００２４】また、有機発光層の温度は、外気温やＯＬＥＤパネル自身が発する熱等に左右されるが、一般的にＯＬＥＤは定電圧で駆動すると、温度によって流れる電流の値が変化する。図３に、有機発光層の温度を変化させたときの、ＯＬＥＤの電圧電流特性の変化を示す。電圧が一定のとき、有機発光層の温度が高くなると、ＯＬＥＤ駆動電流は大きくなる。そしてＯＬＥＤ駆動電流とＯＬＥＤの輝度はほぼ比例関係にあるため、ＯＬＥＤ駆動電流が大きければ大きいほど、ＯＬＥＤの輝度は高くなる。図２において、定電圧輝度が約２４時間の上下周期を示しているのも、昼夜温度差が反映されているためである。しかし、本発明の発光装置では、有機発光層の温度が変化しても、ＯＬＥＤ駆動電圧を補正することでＯＬＥＤ駆動電流を常に一定に保つことができる。よって、温度変化に左右されずに一定の輝度を得ることができ、また温度の上昇に伴って消費電力が大きくなるのを防ぐことができる。
　【００２５】さらに、一般的に、有機発光材料の種類によって温度変化におけるＯＬＥＤ駆動電流の変化の度合いが異なるため、カラー表示において各色のＯＬＥＤの輝度が温度によってバラバラに変化することが起こりうる。しかし本発明の発光装置では、温度変化に左右されずに一定の輝度を得ることができるので、各色の輝度のバランスが崩れるのを防ぐことができ、所望の色を表示することができる。
　【００２６】なお本発明は、デジタル時間階調駆動のアクティブマトリクス型発光装置に特に有効であるが、アナログ階調駆動のアクティブマトリクス型発光装置にも有効である。またパッシブ型の発光装置にも用いることができる。」
　
（エ）段落００２８から００４９まで
「【００２８】
【発明の実施の形態】以下、本発明の構成について説明する。
　【００２９】図１に本発明のＯＬＥＤパネルの構成を、ブロック図で示す。１０１は表示用画素部であり、複数の表示用画素１０２がマトリクス状に形成されている。また、１０３はモニター用画素部であり、複数のモニター用画素１０４がマトリクス状に形成されている。また、１０５はソース線駆動回路、１０６はゲート線駆動回路である。
　【００３０】表示用画素部１０１とモニター用画素部１０３は同じ基板上に形成していても良いし、異なる基板上に形成していても良い。なお図１ではソース線駆動回路１０５とゲート線駆動回路１０６とが、表示用画素部１０１及びモニター用画素部１０３と同じ基板上に形成されているが、本発明はこの構成に限定されない。ソース線駆動回路と１０５とゲート線駆動回路１０６とが画素部１０１またはモニター用画素部１０３と異なる基板上に形成され、ＦＰＣ等のコネクターを介して、画素部１０１またはモニター用画素部１０３と接続されていても良い。また、図１ではソース線駆動回路１０５とゲート線駆動回路１０６は１つづつ設けられているが、本発明はこの構成に限定されない。ソース線駆動回路１０５とゲート線駆動回路１０６の数は設計者が任意に設定することができる。
　【００３１】また図１では、表示用画素部１０１にソース線Ｓ１〜Ｓｘ、電源線Ｖ１〜Ｖｘ、ゲート線Ｇ１〜Ｇｙが設けられている。また、モニター用画素部１０３には、ソース線Ｓ（ｘ＋１）、電源線Ｖ（ｘ＋１）、ゲート線Ｇ１〜Ｇｙが設けられている。なおソース線と電源線の数は必ずしも同じであるとは限らない。またこれらの配線の他に、別の異なる配線が設けられていても良い。また図１では、モニター用画素部１０３に、ソース線Ｓ（ｘ＋１）を有する一列分の画素のみが設けられている例を示しているが、本発明の発光装置はこの構成に限定されない。モニター用画素部１０３に、複数のソース線を有する数列分の画素が設けられていても良い。モニター用画素部１０３に設けられる画素の数は、設計者が適宜選択することが可能である。
　【００３２】各表示用画素１０２には表示用ＯＬＥＤ１０７が設けられている。また各モニター用画素１０４にはモニター用ＯＬＥＤ１０８が設けられている。表示用ＯＬＥＤ１０７及びモニター用ＯＬＥＤ１０８は陽極と陰極を有しており、本明細書では、陽極を画素電極（第１の電極）として用いる場合は陰極を対向電極（第２の電極）と呼び、陰極を画素電極として用いる場合は陽極を対向電極と呼ぶ。
　【００３３】表示用ＯＬＥＤ１０７の画素電極は、１つまたは複数のＴＦＴを介して電源線Ｖ１〜Ｖｘのいずれか１つに接続されている。そして電源線Ｖ１〜Ｖｘは全て表示用可変電源１０９に接続されている。表示用ＯＬＥＤ１０７の対向電極は全て表示用可変電源１０９に接続されている。なお表示用ＯＬＥＤ１０７の対向電極は、１つまたは複数の素子を介して表示用可変電源１０９に接続されていても良い。
　【００３４】一方、モニター用ＯＬＥＤ１０８の画素電極は、１つまたは複数のＴＦＴを介して電源線Ｖ（ｘ＋１）に接続されている。そして電源線Ｖ（ｘ＋１）は、電流計１１１を介して、全てモニター用可変電源１１０に接続されている。モニター用ＯＬＥＤ１０８の対向電極は全てモニター用可変電源１１０に接続されている。なおモニター用ＯＬＥＤ１０８の対向電極は、１つまたは複数の素子を介してモニター用可変電源１１０に接続されていても良い。
　【００３５】なお図１では、表示用可変電源１０９及びモニター用可変電源１１０が、電源線側が高い電位（Ｖｄｄ）に、対向電極側が低い電位（Ｖｓｓ）に保たれるように接続されている。しかし本発明はこの構成に限定されず、表示用可変電源１０９及びモニター用可変電源１１０は表示用ＯＬＥＤ１０７及びモニター用ＯＬＥＤ１０８に流れる電流が順バイアスになるように接続されていれば良い。
　【００３６】…（略）…
　【００３７】そして１１２は補正回路であり、電流計１１１において測定された電流の値（測定値）に基づいて、表示用可変電源１０９及びモニター用可変電源１１０を制御する。具体的には、表示用可変電源１０９から表示用ＯＬＥＤ１０７の対向電極及び電源線Ｖ１〜Ｖｘに供給される電圧と、モニター用可変電源１１０からモニター用ＯＬＥＤ１０８の対向電極及び電源線Ｖ（ｘ＋１）に供給される電圧を制御する。
　【００３８】…（略）…
　【００３９】またカラー化表示方式の場合、各色ごとに表示用可変電源、モニター用可変電源、補正回路、電流計を設け、各色のＯＬＥＤにおいてＯＬＥＤ駆動電圧を補正するようにしても良い。なおこのとき、補正回路は色毎に設けても良いし、複数の色のＯＬＥＤに共通の補正回路を設けても良い。
　【００４０】図４にモニター用画素１０４の詳しい構成を示す。なお、表示用画素１０２は、素子の接続構成はモニター用画素１０４と同じである。
　【００４１】図４に示したモニター用画素１０４は、ソース線Ｓ（ｘ＋１）、ゲート線Ｇｊ（ｊ＝１〜ｙ）、電源線Ｖ（ｘ＋１）、スイッチング用ＴＦＴ１２０、駆動用ＴＦＴ１２１、コンデンサ１２２及びモニター用ＯＬＥＤ１０８を有している。なお図４に示した画素の構成はほんの一例であり、画素が有する配線や素子の数、種類及びその接続は、図４に示した構成に限定されない。本発明の発光装置は、可変電源により各画素のＯＬＥＤのＯＬＥＤ駆動電圧が制御可能であるならば、どのような構成を有していても良い。
　【００４２】図４では、スイッチング用ＴＦＴ１２０のゲート電極がゲート線Ｇｊに接続されている。そしてスイッチング用ＴＦＴ１２０のソース領域とドレイン領域は、一方はソース線Ｓ（ｘ＋１）に、もう一方は駆動用ＴＦＴ１２１のゲート電極に接続されている。そして、駆動用ＴＦＴ１２１のソース領域とドレイン領域は、一方は電源線Ｖ（ｘ＋１）に、もう一方はモニター用ＯＬＥＤ１０８の画素電極に接続されている。コンデンサ１２２は駆動用ＴＦＴ１２１のゲート電極と電源線Ｖ（ｘ＋１）との間に形成されている。
　【００４３】図４に示したモニター用画素１０４では、ゲート線Ｇｊの電位がゲート線駆動回路１０６によって制御され、ソース線Ｓ（ｘ＋１）にはソース線駆動回路１０５によってモニター用ビデオ信号が入力される。スイッチング用ＴＦＴ１２０がオンになると、ソース線Ｓ（ｘ＋１）に入力されたモニター用ビデオ信号は、スイッチング用ＴＦＴ１２０を介して駆動用ＴＦＴ１２１のゲート電極に入力される。そして駆動用ＴＦＴ１２１がモニター用ビデオ信号によりオンになると、モニター用可変電源１１０によりモニター用ＯＬＥＤ１０８の画素電極と対向電極の間にＯＬＥＤ駆動電圧が印加され、モニター用ＯＬＥＤ１０８が発光する。
　【００４４】モニター用ＯＬＥＤ１０８が発光しているときに、電流計１１１において電流が測定され、その測定値がデータとして補正回路１１２に送られる。電流を測定する期間は電流計１１１の性能により異なり、計測可能な長さ以上の期間であることが必要である。また電流計１１１では、計測する期間に流れる電流の平均値もしくは最大値が読み取られるようにする。
　【００４５】補正回路１１２では、電流の測定値と、定められた電流の値（基準値）とが比較される。そして、測定値と基準値の間にある程度の差がある場合に、補正回路１１２はモニター用可変電源１１０及び表示用可変電源１０９を制御して、電源線Ｖ（ｘ＋１）とモニター用ＯＬＥＤ１０８の対向電極の間の電圧、及び電源線Ｖ１〜Ｖｘと表示用ＯＬＥＤ１０７の対向電極の間の電圧を補正する。これにより、表示用ＯＬＥＤ１０７及びモニター用ＯＬＥＤ１０８においてＯＬＥＤ駆動電圧が補正され、所望する大きさのＯＬＥＤ駆動電流が流れる。
　【００４６】なお、ＯＬＥＤ駆動電圧は、電源線側の電位が制御されることで補正されていても良いし、対向電極側の電位が制御されることで補正されていても良い。また、電源線側の電位と対向電極側の電位とが共に制御されることで、補正されていても良い。
　【００４７】図５に、カラーの発光装置において、電源線側の電位を制御する場合の、各色のＯＬＥＤのＯＬＥＤ駆動電圧の変化を示す。図５において、ＶｒはＲ用の表示用ＯＬＥＤ（Ｒ）における補正前のＯＬＥＤ駆動電圧であり、Ｖｒ０は補正後のＯＬＥＤ駆動電圧である。同様に、ＶｇはＧ用の表示用ＯＬＥＤ（Ｇ）における補正前のＯＬＥＤ駆動電圧であり、Ｖｇ０は補正後のＯＬＥＤ駆動電圧である。ＶｂはＢ用の表示用ＯＬＥＤ（Ｂ）における補正前のＯＬＥＤ駆動電圧であり、Ｖｂ０は補正後のＯＬＥＤ駆動電圧である。
　【００４８】図５の場合、対向電極の電位（対向電位）は全ての表示用ＯＬＥＤにおいて同じ高さに固定されている。各色の表示用ＯＬＥＤごとにＯＬＥＤ駆動電流を測定し、電源線の電位（電源電位）を表示用可変電源において制御することで、ＯＬＥＤ駆動電圧が補正される。
　【００４９】なお図１では、表示用画素部に対応した表示用可変電源と、モニター用画素部に対応したモニター用可変電源と、２つの可変電源を用いているが、本発明はこの構成に限定されない。表示用可変電源とモニター用可変電源を１つの可変電源で賄っても良い。」
　
（オ）段落００５３から００６１まで
「【００５３】
【実施例】以下に、本発明の実施例について説明する。
　【００５４】（実施例１）本実施例では、本発明の発光装置が有する補正回路の詳しい構成について説明する。
　【００５５】図６に、本実施例の補正回路の構成をブロック図で示す。補正回路２０３は、Ａ／Ｄ変換回路２０４、測定値用メモリ２０５、演算回路２０６、基準値用メモリ２０７、コントローラ２０８を有していている。
　【００５６】電流計２０１において測定された電流の値（測定値）は、補正回路２０３が有するＡ／Ｄ変換回路２０４に入力される。Ａ／Ｄ変換回路２０４において、アナログの測定値はデジタルに変換される。変換された測定値のデジタルデータは測定値用メモリ２０５に入力されて保持される。
　【００５７】一方、基準値用メモリ２０７には、ＯＬＥＤ駆動電流基準値のデジタルデータが保持されている。演算回路２０６では、測定値用メモリ２０５において保持されている測定値のデジタルデータと、基準値用メモリ２０７において保持されている基準値のデジタルデータとをそれぞれ読み出し、比較する。
　【００５８】そして、測定値のデジタルデータと基準値のデジタルデータの比較により、電流計２０１に実際に流れている電流の値を基準値に近づけるために、モニター用可変電源２０２及び表示用可変電源２０９を制御する。より具体的には、モニター用可変電源２０２及び表示用可変電源２０９を制御することにより、電源線Ｖ１〜Ｖｘと表示用ＯＬＥＤの対向電極の間の電圧、及び電源線Ｖ（ｘ＋１）とモニター用ＯＬＥＤの対向電極の間の電圧を補正する。これにより、表示用ＯＬＥＤ及びモニター用ＯＬＥＤにおいてＯＬＥＤ駆動電圧が補正され、所望する大きさのＯＬＥＤ駆動電流が流れる。
　【００５９】測定値と基準値の電流の差を偏差電流とし、電源線Ｖ１〜Ｖｘと対向電極の間の、補正によって変化する分の電圧を補正電圧とすると、偏差電流と補正電圧の関係は、例えば図７のように表される。図７では偏差電流が一定の幅で変化するごとに、補正電圧を一定の大きさで変えている。
　【００６０】なお偏差電流と補正電圧の関係は、必ずしも図７に示したグラフに則していなくても良い。偏差電流と補正電圧は、電流計に実際に流れている電流の値が基準値に近づくような関係であれば良い。例えば偏差電流と補正電圧とが線形性を有する関係であっても良いし、偏差電流が補正電圧の二乗に比例していても良い。
　【００６１】なお本実施例で示した補正回路の構成はほんの一例であり、本発明はこの構成に限定されない。本発明で用いられる補正回路は、測定値と基準値を比較する手段と、電流計による測定値をもとに何らかの演算処理をして、ＯＬＥＤ駆動電圧を補正する手段を有していれば良い。…（略）…」
　
（カ）段落００９０から０１０４まで
「【００９０】（実施例４）本実施例では、図１及び図４に示した本発明の発光装置の駆動方法について、図９を用いて説明する。なお、図９において横軸は時間を、縦軸は各ゲート線に接続されている表示用画素の位置を示す。なお本実施例では表示用画素部の駆動方法について説明するが、モニター用画素部も同じ駆動方法を用いて表示を行うことが可能である。
　【００９１】まず、書き込み期間Ｔａが開始されると、電源線Ｖ１〜Ｖｘの電源電位は、表示用ＯＬＥＤ１０７の対向電極の電位と同じ高さに保たれる。そしてゲート線駆動回路１０６から出力される選択信号によって、ゲート線Ｇ１に接続されている全ての表示用画素（１ライン目の表示用画素）のスイッチング用ＴＦＴ１２０がオンになる。
　【００９２】そして、ソース線駆動回路１０５によって、ソース線（Ｓ１〜Ｓｘ）に入力された１ビット目のデジタルのビデオ信号（以下、デジタルビデオ信号）が、スイッチング用ＴＦＴ１２０を介して駆動用ＴＦＴ１２１のゲート電極に入力される。
　【００９３】次に１ライン目の表示用画素のスイッチング用ＴＦＴ１２０がオフになり、１ライン目の表示用画素と同様に、選択信号によってゲート線Ｇ２に接続されている２ライン目の表示用画素のスイッチング用ＴＦＴ１２０がオンになる。次に、ソース線（Ｓ１〜Ｓｘ）から１ビット目のデジタルビデオ信号が、２ライン目の表示用画素のスイッチング用ＴＦＴ１２０を介して駆動用ＴＦＴ１２１のゲート電極に入力される。
　【００９４】そして順に、全てのラインの表示用画素に１ビット目のデジタルビデオ信号が入力される。全てのラインの表示用画素に１ビット目のデジタルビデオ信号が入力されるまでの期間が書き込み期間Ｔａ１である。なお本実施例において、画素にデジタルビデオ信号が入力されるとは、デジタルビデオ信号がスイッチング用ＴＦＴ１２０を介して駆動用ＴＦＴ１２１のゲート電極に入力されることを意味する。
　【００９５】書き込み期間Ｔａ１が終了すると次に表示期間Ｔｒ１になる。表示期間Ｔｒ１では、電源線の電源電位は、電源電位がＯＬＥＤの画素電極に与えられたときにＯＬＥＤが発光する程度に、対向電極との間に電位差を有する電位になる。
　【００９６】そして本実施例では、デジタルビデオ信号が「０」の情報を有していた場合、駆動用ＴＦＴ１２１はオフの状態となる。よって電源電位は、表示用ＯＬＥＤ１０７の画素電極に与えられない。その結果、「０」の情報を有するデジタルビデオ信号が入力された表示用画素が有する表示用ＯＬＥＤ１０７は発光しない。
　【００９７】逆に、「１」の情報を有していた場合、駆動用ＴＦＴ１２１はオンの状態となっている。よって電源電位が表示用ＯＬＥＤ１０７の画素電極に与えられる。その結果、「１」の情報を有するデジタルビデオ信号が入力された表示用画素が有する表示用ＯＬＥＤ１０７は発光する。
　【００９８】このように、表示期間Ｔｒ１において表示用ＯＬＥＤ１０７が発光、または非発光の状態になり、全ての表示用画素は表示を行う。表示用画素が表示を行っている期間を表示期間Ｔｒと呼ぶ。特に１ビット目のデジタルビデオ信号が表示用画素に入力されたことで開始する表示期間をＴｒ１と呼ぶ。
　【００９９】表示期間Ｔｒ１が終了すると書き込み期間Ｔａ２となり、再び電源線の電源電位はＯＬＥＤの対向電極の電位と同じになる。そして書き込み期間Ｔａ１の場合と同様に順に全てのゲート線が選択され、２ビット目のデジタルビデオ信号が全ての表示用画素に入力される。全てのラインの表示用画素に２ビット目のデジタルビデオ信号が入力し終わるまでの期間を、書き込み期間Ｔａ２と呼ぶ。
　【０１００】書き込み期間Ｔａ２が終了すると表示期間Ｔｒ２になり、電源線の電源電位は、電源電位がＯＬＥＤの画素電極に与えられたときにＯＬＥＤが発光する程度に、対向電極との間に電位差を有する電位になる。そして全ての表示用画素が表示を行う。
　【０１０１】上述した動作はｎビット目のデジタルビデオ信号が表示用画素に入力されるまで繰り返し行われ、書き込み期間Ｔａと表示期間Ｔｒとが繰り返し出現する。全ての表示期間（Ｔｒ１〜Ｔｒｎ）が終了すると１つの画像を表示することができる。明細書において、１つの画像を表示する期間を１フレーム期間（Ｆ）と呼ぶ。１フレーム期間が終了すると次のフレーム期間が開始される。そして再び書き込み期間Ｔａ１が出現し、上述した動作を繰り返す。
　【０１０２】通常の発光装置では１秒間に６０以上のフレーム期間を設けることが好ましい。１秒間に表示される画像の数が６０より少なくなると、視覚的に画像のちらつきが目立ち始めることがある。
　【０１０３】本実施例では、全ての書き込み期間の長さの和が１フレーム期間よりも短く、なおかつ表示期間の長さ比は、Ｔｒ１：Ｔｒ２：Ｔｒ３：…：Ｔｒ（ｎ−１）：Ｔｒｎ＝２０：２１：２２：…：２（ｎ−２）：２（ｎ−１）となるようにすることが必要である。この表示期間の組み合わせで２ｎ階調のうち所望の階調を表示することができる。
　【０１０４】１フレーム期間中に表示用ＯＬＥＤが発光した表示期間の長さの総和を求めることによって、当該フレーム期間におけるその表示用画素の表示した階調がきまる。例えば、ｎ＝８のとき、全部の表示期間で表示用画素が発光した場合の輝度を１００％とすると、Ｔｒ１とＴｒ２において表示用画素が発光した場合には１％の輝度が表現でき、Ｔｒ３とＴｒ５とＴｒ８を選択した場合には６０％の輝度が表現できる。」
　
（キ）段落０２２９
「【０２２９】図１７（Ａ）は有機発光表示装置であり、筐体２００１、支持台２００２、表示部２００３、スピーカー部２００４、ビデオ入力端子２００５等を含む。本発明の発光装置は表示部２００３に用いることができる。発光装置は自発光型であるためバックライトが必要なく、液晶ディスプレイよりも薄い表示部とすることができる。なお、有機発光表示装置は、パソコン用、ＴＶ放送受信用、広告表示用などの全ての情報表示用表示装置が含まれる。」
　
イ．刊行物１に記載された発明（引用発明１）
（ア）刊行物１には、発光装置を表示部２００３に用いた有機発光表示装置が記載されている（上記ア．（キ））。発光装置は、有機発光素子（ＯＬＥＤ）が形成された基板を含むＯＬＥＤパネルである（上記ア．（ア））。
　
（イ）ＯＬＥＤパネルは、複数の表示用画素１０２がマトリクス状に形成された表示用画素部１０１と、複数のモニター用画素１０４がマトリクス状に形成されたモニター用画素部１０３とを有する（上記ア．（エ）、段落００２９）。
　表示用画素部１０１とモニター用画素部１０３とは、同じ基板上に形成され（同、段落００３０）、表示用画素１０２には表示用ＯＬＥＤ１０７が、モニター用画素１０４にはモニター用ＯＬＥＤ１０８が、それぞれ設けられている（同、段落００３２）。
　モニター用ＯＬＥＤ１０８には駆動用ＴＦＴ１２１が接続される（同、段落００４１）。表示用画素１０２の素子の接続構成は、モニター用画素１０４と同じであるから（同、段落００４０）、表示用ＯＬＥＤ１０７にも駆動用ＴＦＴ１２１が接続される。
　
（ウ）表示用ＯＬＥＤ１０７に接続された駆動用ＴＦＴ１２１のゲート電極には、デジタルビデオ信号が入力される（上記ア．（カ）、段落００９４）。
　表示用ＯＬＥＤ１０７は、デジタルビデオ信号が「０」であれば発光しないし、「１」であれば発光する（同、段落００９６及び００９７）。このことから、表示用ＯＬＥＤ１０７は、駆動用ＴＦＴ１２１によってオンオフ制御されることが分かる。
　表示用ＯＬＥＤ１０７とモニター用ＯＬＥＤ１０８とは、素子の接続構成が同じである（上記ア．（エ）、段落００４０）。また、表示用画素部１０１に入力される表示用デジタルビデオ信号とモニター用画素部１０３に入力されるモニター用デジタルビデオ信号とは、別系統ではあるが、いずれも階調の情報を含んでおり、表示用ＯＬＥＤ１０７とモニター用ＯＬＥＤ１０８とで劣化度合いが同じになるように選ばれる（上記ア．（ウ）、段落００１９及び００２０）。そうすると、モニター用ＯＬＥＤ１０８も、駆動用ＴＦＴ１２１によってオンオフ制御されることが明らかである。
　
（エ）ＯＬＥＤパネルは、ソース線駆動回路１０５を有する（上記ア．（エ）、段落００２９及び００３０）。ソース線駆動回路１０５は、ソース線Ｓ（ｘ＋１）を介して、モニター用ＯＬＥＤ１０８の駆動用ＴＦＴ１２１のゲート電極にモニター用デジタルビデオ信号を入力する（同、段落００４３）。
　モニター用デジタルビデオ信号が入力されて駆動用ＴＦＴ１２１がオンになると、モニター用ＯＬＥＤ１０８が発光する（同、段落００４３）。このとき、電流計１１１で電流が測定され、その測定値が補正回路１１２に送られる（同、段落００４４）。この測定値は、モニター用ＯＬＥＤ１０８の劣化の度合いを示すものである（上記ア．（ウ）、段落００１１から００１３まで）。
　補正回路１１２は、電流の測定値を基準値と比較し、測定値と基準値との間にある程度の差がある場合に、表示用可変電源１０９及びモニター用可変電源１１０を制御して表示用ＯＬＥＤ１０７及びモニター用ＯＬＥＤ１０８に印加される電圧を補正し、表示用ＯＬＥＤ１０７及びモニター用ＯＬＥＤ１０８に所望の大きさの電流が流れるようにする（上記ア．（エ）、段落００４５）。具体的には、電流の測定値が基準値に近づくようにする（上記ア．（オ）、段落００５８から００６０まで）。
　表示用ＯＬＥＤ１０７及びモニター用ＯＬＥＤ１０８に印加される電圧の補正は、電源線側の電位Ｖｄｄを固定し、対向電極側の電位Ｖｓｓを制御して行うことができる（上記ア．（エ）、段落００４６から００４８まで）。
　
（オ）ＯＬＥＤパネルは、Ｒ（赤）、Ｇ（緑）、Ｂ（青）に対応した３種類のＯＬＥＤを用いたカラー化表示方式を採用することができ、この場合は、モニター用画素部１０３も色ごとに設ける（上記ア．（ウ）、段落００２３）。
　したがって、表示用ＯＬＥＤ１０７もモニター用ＯＬＥＤ１０８も、Ｒ（赤）、Ｇ（緑）、Ｂ（青）の３種類になる。
　また、表示用ＯＬＥＤ１０７及びモニター用ＯＬＥＤ１０８に印加される電圧の補正は、表示用可変電源１０９、モニター用可変電源１１０及び電流計１１１を色ごとに設ける一方、各色共通の補正回路１１２を設けて、色ごとに行う（上記ア．（エ）、段落００３９）。表示用可変電源１０９及びモニター用可変電源１１０は、一つの可変電源で兼用してもよい（同、段落００４９）。
　
（カ）以上のことを踏まえて、上記ア．（ア）から（キ）までの記載と、図１から７まで、９、１７及び１８までに示された事項とを総合すると、刊行物１には、以下の発明（以下、「引用発明１」という。）が記載されている。
　
「ＯＬＥＤパネルを表示部２００３に用いた有機発光表示装置であって、
　前記ＯＬＥＤパネルは、複数の表示用画素１０２がマトリクス状に形成された表示用画素部１０１と、複数のモニター用画素１０４がマトリクス状に形成されたモニター用画素部１０３とを有し、
　前記表示用画素部１０１と前記モニター用画素部１０３とは、同じ基板上に形成されており、
　前記表示用画素１０２には表示用ＯＬＥＤ１０７が、前記モニター用画素１０４にはモニター用ＯＬＥＤ１０８が、それぞれ設けられており、
　前記モニター用ＯＬＥＤ１０８には、当該モニター用ＯＬＥＤ１０８をオンオフ制御する駆動用ＴＦＴ１２１が接続され、
　前記表示用ＯＬＥＤ１０７及び前記モニター用ＯＬＥＤ１０８は、それぞれＲ（赤）、Ｇ（緑）、Ｂ（青）の３種類であり、
　前記ＯＬＥＤパネルは、さらに、
　前記駆動用ＴＦＴ１２１のゲート電極にモニター用デジタルビデオ信号を入力するソース線駆動回路１０５と、
　前記モニター用デジタルビデオ信号が入力されてモニター用ＯＬＥＤ１０８が発光するときに流れる電流を測定する、色ごとに設けられた電流計１１１と、
　前記表示用ＯＬＥＤ１０７及び前記モニター用ＯＬＥＤ１０８に電圧を印加する、色ごとに設けられた表示用可変電源１０９兼モニター用可変電源１１０と、
　前記色ごとに設けられた電流計１１１が測定した電流の測定値を基準値と比較し、前記測定値が前記基準値に近づくように、前記色ごとに設けられた表示用可変電源１０９兼モニター用可変電源１１０の電源線側の電位Ｖｄｄを固定し、対向電極側の電位Ｖｓｓを制御する、各色共通に設けられた補正回路１１２と
　を有する有機発光表示装置。」
　
（２）刊行物２
ア．刊行物２の記載
　刊行物２には、以下の記載がある。
　
（ア）段落０００１から０００３まで
「【０００１】
【発明の属する技術分野】本発明は、発光素子の輝度変化を自動的に補正する表示装置に関する。
　【０００２】
【従来の技術】現在、ＣＲＴ（陰極線管）及びＬＣＤ（液晶ディスプレイ）等の種々の表示装置が多数使用されている。それらの表示装置は多かれ少なかれ表示輝度や表示色温度（ＲＧＢの発光画素の発光輝度の相対値）に経時変化を生じる。その経時変化が大きい表示装置においては、長期間の使用により画面の輝度又は色温度が初期設定時から大幅にずれてくると、表示装置を再調整する必要があった。従来の表示装置においては、ユーザが経時変化に対応して画面の輝度又は色温度を再調整しなければならなかった。ユーザは、明るさ調整や色バランス調整などを実際に画像を見ながら手動で調整していた。
　【０００３】
【発明が解決しようとする課題】輝度や色温度の経時変化が比較的ゆっくりとした表示装置ではその調整頻度が少ないので、従来の方法でもユーザの負担は小さかった。しかしながら、現在作られている電流制御型発光素子を用いた表示装置は、発光素子の経時変化が大きく、且つサブピクセル（発光素子）によって（発光色によって）経時変化が異なる。電流制御型発光素子を用いた表示装置は輝度や色温度の経時変化が比較的大きい故に、ユーザが頻繁に経時変化に応じた輝度及び色温度の再調整を行わなければならないという問題があった。電流制御型発光素子を用いたディスプレイには、例えばＦＥＤ（フィールド・エミッション・ディスプレイ）及び有機ＥＬ（エレクトロ・ルミネッセント）ディスプレイがある。」
　
（イ）段落００５４から００５７まで
「【００５４】一般に表示装置の画面の輝度は容易に調整出来る。表示装置の周囲の明るさにより最適の画面の輝度は変化し、ユーザは画面の輝度を調整することに慣れている場合が多い。一方、色温度の調整は困難である故、表示画面の色温度を自動調整することが商品に付加する価値は大きい。実施例１においては、ＲとＧの相対輝度の経時変化をＢに合わせたが、関数部７の積算通電時間と係数の関係を変更することにより、ＧとＢとの相対輝度の経時変化をＲに揃えることも（サブピクセルＲを基準サブピクセルとする。）、ＲとＢとの相対輝度の経時変化をＧに揃えることも（サブピクセルＧを基準サブピクセルとする。）出来る。又、ＲＧＢの相対輝度が初期値から変化しない様に係数を定めることも出来る。
　【００５５】好ましくは、実施例１の表示装置の様に、経時的に最も輝度が減少するサブピクセルを基準サブピクセルとし、他のサブピクセルの発光輝度が基準ピクセルと同じように経時変化する様に、他のサブピクセルの係数を定める。即ち、色温度（色相）が経時的に変化しない様に基準サブピクセル以外のサブピクセルの係数を決める。経時変化が最も大きい（経時変化により最も輝度レベルが低下する）サブピクセルを基準サブピクセルとすることにより、基準サブピクセル以外のサブピクセルの係数は１以下の正数になる。
　【００５６】表示装置は、一般に最大輝度レベルを定めており（例えば２５５）、入力信号のレベルは最大輝度レベル以下でなければならない。経時変化が最も大きい（経時変化により最も輝度レベルが低下する）サブピクセル以外のサブピクセルを基準サブピクセルとするならば、経時変化が最も大きいサブピクセル（例えば青）の係数は１を超える（例えば１．２とする。）。もし係数が１以上の正数であり、サブピクセルの発光量を指定する入力信号と係数とを掛けた掛け算結果が最大輝度レベルを超える場合は、掛け算結果は最大輝度レベルに置き換えられる（最大輝度レベルでクリップされる。輝度レベルが飽和する。）。最大レベルの白の信号（赤（Ｒ）＝２５５、緑（Ｇ）＝２５５、青（Ｂ）＝２５５とする。）が入力されるとする。正しい色相を表示するためには青の信号レベルは２５５×１．２＝３０６でなければならない。しかし青の信号レベルは、３０６から最大信号レベルである２５５に置き換えられる。そのため、高輝度の入力信号においては係数による補正が不完全になり、画面の高輝度部分の色相が不正確になる。
　【００５７】経時的に最も輝度が減少するサブピクセルを基準サブピクセルとする表示装置においては、基準サブピクセル以外のサブピクセルの係数は１以下の正数になる故に、入力信号（最大輝度レベル以下であるとする。）と係数を掛けた掛算結果が最大輝度レベルを超える（最大輝度レベルでクリップされる）ことはない。そのため、高輝度の入力信号が入力された場合にも、１以下の係数を乗算した駆動信号で表示素子を発光させる故に、正確な色温度（色相）を表示する。又、基準サブピクセル以外のサブピクセルの係数を１以下の正数にすることにより、各サブピクセルに流す電流が少なくなるので、各サブピクセルの経時変化が小さくなる。」
　
（ウ）段落００７３から００８６まで
「【００７３】《実施例３》以下に図２、図６、図７、図８を用いて、本発明の実施例３の表示装置を説明する。実施例３の表示装置は、電流制御型素子を用いた表示装置である（有機ＥＬディスプレイを使用している。）。
　【００７４】図６は、実施例３の表示装置の構成を示す。図６において、１７は表示パネル、１３は表示パネル１７に１〜ｍラインの表示位置を指定するライン制御信号を出力するライン制御部、１２はｎ画素分のサブピクセルの駆動信号を表示パネル１７に出力するデータ駆動部、３４は発光輝度管理画素２２の各サブピクセルの駆動信号を出力するデータ駆動部、１、２、３はそれぞれ赤信号（Ｒ）、緑信号（Ｇ）、青信号（Ｂ）に対応する入力信号の入力端子、４、５、６は乗算器、２０は関数部、１６は平均値演算部、９はクロック（ＣＬＫ　Clock）入力端子、１０は垂直同期信号（ＶＤ　Vertical Drive）入力端子、１１は水平同期信号（ＨＤ　Horizontal Drive）入力端子である。
　【００７５】表示パネル１７は、ｍ行ｎ列の表示領域（有効領域）の画素（総数（ｎ×ｍ）個）、発光輝度管理画素２２及び３個の輝度センサ１９を有する有機ＥＬディスプレイである。各画素（有効領域の画素及び発光輝度管理画素２２）は、それぞれ赤色（Ｒ）、緑色（Ｇ）、青色（Ｂ）で発光する３個のサブピクセル（発光素子）を有する。表示パネル１７のＲＧＢの各サブピクセル（発光素子）は相対輝度が経時的に変化する。各サブピクセルの相対輝度の経時変化を図２に示す。各サブピクセルの発光輝度の初期値をそれぞれ１とする。発光輝度管理画素２２は表示領域の画素と同一の形状で同一の大きさあって、表示領域外に配置されている。３個の輝度センサ１９は、それぞれ発光輝度管理画素の各サブピクセルの発光輝度を測定する。
　【００７６】図７は表示パネル１７を図６のＩ−Ｉの線に沿って切った断面図であって、輝度センサ１９の取付け部分を拡大した図である。図７において１９は輝度センサ、１８はカバー（遮光部）、２１は表示パネルの基板、２２は発光輝度管理画素のサブピクセル、２３は表示領域内の画素のサブピクセルである。カバー１８は、発光輝度管理画素２２の発光が外部に漏れないようにし、且つ輝度センサ１９に外光が入らないようにしている。
　【００７７】図６において、実施例１（図１）と同一のブロックには同一の符号を付している。関数部２０は、ＲＧＢそれぞれの最適の係数ＫＲ、ＫＧ、ＫＢを出力する。係数ＫＲ、ＫＧ、ＫＢは、各サブピクセルの輝度の経時変化を補正する係数である。係数ＫＲ、ＫＧ、ＫＢを算出する方法については後述する。
　【００７８】入力端子４、５、６は、それぞれＲＧＢのサブピクセルの発光量を指定する入力信号ＶｉｎＲ、ＶｉｎＧ、ＶｉｎＢを入力する。入力信号は、それぞれ乗算器４、５、６に伝送される。クロック入力端子９、垂直同期信号入力端子１０及び水平同期信号入力端子１１は、入力信号に同期して、それぞれクロック信号（入力信号のサンプリングクロック）ＣＬＫ、垂直同期信号ＶＤ及び水平同期信号ＨＤを入力する。乗算器４、５、６はそれぞれＲＧＢの入力信号ＶｉｎＲ、ＶｉｎＧ、ＶｉｎＢと係数ＫＲ、ＫＧ、ＫＢ（関数部２０が出力する。）とを入力し、入力信号と係数とを掛け算し、掛け算結果（ＶｉｎＲ×ＫＲ）、（ＶｉｎＧ×ＫＧ）、（ＶｉｎＢ×ＫＢ）を出力する（請求項の記載の「第１の掛け算結果」に相当する。）。
　【００７９】データ駆動部１２は１ライン（ｎ画素）のシフトレジスタを有し、クロック信号に応じて掛け算結果（ＶｉｎＲ×ＫＲ）、（ＶｉｎＧ×ＫＧ）、（ＶｉｎＢ×ＫＢ）を入力する。１ラインの掛け算結果をロードした後、当該掛け算結果に比例した駆動信号をＸ１、Ｘ２、・・・、Ｘｎの出力端子より出力する。ライン制御部１３は、データ駆動部１２が出力した駆動信号により表示されるラインの表示位置を指定する。ライン制御部１３はクロック信号ＣＬＫ、垂直同期信号ＶＤ及び水平同期信号ＨＤを入力する。ライン制御部１３は出力端子Ｙ１、Ｙ２、Ｙ３、・・・、Ｙｍを有し、第ｉラインを表示する場合は、Ｙｉ端子をアクティブにする。次の水平同期信号ＨＤを入力すると、アクティブになるラインをＹｉ端子からＹｉ＋１端子に変える。Ｙｍ端子の次には、垂直同期信号ＶＤを入力してＹ１端子をアクティブにする。ライン制御部１３で指定されたラインの画素（表示パネル１７の画素）が、データ駆動部１２が出力する駆動信号により発光する。
　【００８０】実施例３の表示装置は、補正モードと通常表示モードとを有する。表示領域の画素は、補正モードにおいても通常表示モードにおいても、上記の方法により発光する。通常表示モードは、発光輝度管理画素２２の各サブピクセルを表示領域の各サブピクセルと同程度に発光させ、同程度に経時変化させるための期間である。通常表示モードにおいては、平均値演算部１６はＲＧＢの入力信号ＶｉｎＲ、ＶｉｎＧ、ＶｉｎＢを入力し、１画面分の入力信号（ｎ×ｍ画素分の入力信号）のＲＧＢそれぞれの平均値ＶｉｎａｖＲ、ＶｉｎａｖＧ、ＶｉｎａｖＢを算出し、出力する。データ駆動部３４は、平均値ＶｉｎａｖＲ、ＶｉｎａｖＧ、ＶｉｎａｖＢを入力し、各平均値に応じた駆動信号を出力する。データ駆動部３４の各駆動信号の出力回路は、データ駆動部１２の出力回路と同一の構成を有する。
　【００８１】１画面分の表示を終了した直後（ライン制御部１３がＹ１端子からＹｍ端子までをアクティブにした後であって、垂直同期信号ＶＤがアクティブになる期間）、ライン制御部１３はＹｄ端子をアクティブにする。発光輝度管理画素２２のＲＧＢの各サブピクセルは、平均値ＶｉｎａｖＲ、ＶｉｎａｖＧ、ＶｉｎａｖＢに応じた駆動信号を入力し、発光する。この発光時間は表示領域内の各画素と同じ時間とする。上記の動作を各画面毎に繰り返す。これにより、発光輝度管理画素２２の各サブピクセルは、表示領域の各サブピクセルと同程度に経時変化する。
　【００８２】補正モードは表示領域の各サブピクセルの発光輝度の経時変化を補正するための補正係数ＫＲ、ＫＧ、ＫＢを求めるための期間である。補正モードにおいては、平均値演算部１６は、最大レベルの信号を出力する。データ駆動部３４は、最大レベルに応じた駆動信号を出力し、発光輝度管理画素２２の各サブピクセルは最大輝度で発光する。３個の輝度センサ１９は、それぞれ発光輝度管理画素２２の各サブピクセルの光を入力し、入力光に応じた検出信号を出力する。
　【００８３】関数部２０は３個の輝度センサ１９の検出信号を入力する。関数部２０は、不揮発性メモリと演算部とを有する。関数部２０の不揮発性メモリは、補正モードでの各輝度センサの検出信号の初期値を保持している。関数部２０の演算部は、不揮発性メモリから読み出した検出信号の初期値と、現在の補正モードでの各輝度センサの検出信号との比を計算する。
　【００８４】ＲＧＢの各輝度センサの検出信号をＶｄｅｔＲ（ｔ）、ＶｄｅｔＧ（ｔ）、ＶｄｅｔＢ（ｔ）とする（ｔは表示パネルの積算通電時間）。補正モードでのＲＧＢの各輝度センサの検出信号の初期値（ｔ＝０）をＶｄｅｔＲ（０）、ＶｄｅｔＧ（０）、ＶｄｅｔＢ（０）とし、現在（ｔ＝ｔ０）の補正モードでのＲＧＢの各輝度センサの検出信号をＶｄｅｔＲ（ｔ０）、ＶｄｅｔＧ（ｔ０）、ＶｄｅｔＢ（ｔ０）とする。関数部２０の演算部は、各サブピクセル毎の係数ＫＲ、ＫＧ、ＫＢを下記の式により求める。
ＫＲ＝ＶｄｅｔＲ（０）／ＶｄｅｔＲ（ｔ０）
ＫＧ＝ＶｄｅｔＧ（０）／ＶｄｅｔＧ（ｔ０）
ＫＢ＝ＶｄｅｔＢ（０）／ＶｄｅｔＢ（ｔ０）
　【００８５】関数部２０の演算部は算出した係数ＫＲ、ＫＧ、ＫＢを不揮発性メモリに記憶し、出力する。補正モードが終了し、通常表示モードに戻る。補正モードにおいても通常表示モードにおいても、関数部２０は係数ＫＲ、ＫＧ、ＫＢを出力する。上述の様に、乗算器４、５、６はそれぞれ係数ＫＲ、ＫＧ、ＫＢを入力し、入力信号と掛け算する。図８は、実施例３の表示装置が積算通電時間１００時間、１０００時間、２０００時間、１００００時間において補正モードを実行した場合の、ＲＧＢの各サブピクセルの発光輝度（入力信号に係数を掛けて補正した結果である発光輝度）の経時変化を示す。各サブピクセルの発光輝度の初期値をそれぞれ１とする。
　【００８６】図２に示す表示パネル１７の発光輝度の経時変化特性に比べて、補正を行うことにより、実施例３の表示装置の発光輝度及び色温度の経時変化は大幅に改善されている（図８）。補正モードをさらに細かい積算通電時間間隔で行うことにより、発光輝度と色温度の経時変化を更に高精度に補正することが出来る。」
　
イ．刊行物２に記載された技術事項（技術事項２）
　上記ア．（ア）から（ウ）までの記載と、図２及び６から８までに示された事項とを総合すると、刊行物２には、以下の技術事項（以下、「技術事項２」という。）が記載されている。
　
「表示領域に配置された複数の画素であって、各画素がそれぞれ赤色（Ｒ）、緑色（Ｇ）及び青色（Ｂ）に発光する３個の発光素子を有する複数の画素と、
　前記表示領域の外に配置された発光輝度管理画素２２であって、それぞれ赤色（Ｒ）、緑色（Ｇ）及び青色（Ｂ）に発光する３個の発光素子を有し、前記複数の画素と形状及び大きさが同じである発光輝度管理画素２２と、
　前記発光輝度管理画素２２の前記３個の発光素子の発光輝度を測定する３個の輝度センサ１９と
　を有する有機ＥＬディスプレイにおいて、
　前記発光輝度管理画素２２の前記３個の発光素子を最大輝度で発光させ、
　前記発光輝度管理画素２２の前記３個の発光素子のそれぞれからの光を、前記３個の輝度センサ１９のそれぞれで検出し、
　それぞれの検出値ＶｄｅｔＲ（ｔ０）、ＶｄｅｔＧ（ｔ０）及びＶｄｅｔＢ（ｔ０）と、それぞれの検出値の初期値ＶｄｅｔＲ（０）、ＶｄｅｔＧ（０）及びＶｄｅｔＢ（０）との比ＫＲ、ＫＧ及びＫＢを求め、
　前記比ＫＲ、ＫＧ及びＫＢと、前記複数の画素の前記３個の発光素子のそれぞれの発光量を指定する入力信号ＶｉｎＲ、ＶｉｎＧ及びＶｉｎＢとを掛け算し、
　その掛け算の結果に比例した駆動信号で前記複数の画素の前記３個の発光素子を発光させることにより、
　前記複数の画素の輝度及び色温度の経時変化を補正する。」
　
（３）刊行物３
ア．刊行物３の記載
　刊行物３には、以下の記載がある。
　
（ア）第１ページ第４行から第９行まで
「本発明は、有機のエレクトロルミネッセンス素子（以下、有機ＥＬ素子と称す）等の電流駆動型発光素子及びこれを駆動する薄膜トランジスタ等の駆動素子を備えて構成される画素回路、及びこのような画素回路を各画素に備えて構成される表示装置、並びにこれらを備えた電子機器の技術分野に関し、特に、電流駆動型発光素子や駆動素子の経時劣化の影響を補正することが可能な駆動回路及び表示装置並びにこれらを備えた電子機器の技術分野に関する。」
　
（イ）第２ページ第９行から第２１行まで
「しかしながら、有機ＥＬ素子等の電流駆動型発光素子においては、素子内を駆動電流が流れるために、大なり小なり経時劣化が存在する。例えば、有機ＥＬ素子の場合には、顕著な経時劣化が存在すると報告されている…（略）…。有機ＥＬ素子の経時劣化は、２種類に大別される。一つは、有機ＥＬ素子に印加される電圧に対して、電流量が低下する劣化である。もう一つは、有機ＥＬ素子に印加される電圧或いは有機ＥＬ素子を流れる電流に対して発光量が低下する劣化である。また、これらの経時劣化は、有機ＥＬ素子毎にバラツキをもって発生する。更に、ＴＦＴ−ＯＥＬでは、駆動素子としてのＴＦＴを流れる電流によりＴＦＴの経時劣化が発生することもある。
　このため、ＴＦＴ−ＯＥＬを用いた表示装置では、このような有機ＥＬ素子や駆動用ＴＦＴの経時劣化が生じたときに、画質劣化が問題となる。すなわち、電流量が低下する劣化や発光量が低下する劣化は、画面輝度の低下を招き、電流量の低下のバラツキや発光量の低下のバラツキは、画面ムラを生じさせる。」
　
（ウ）第３ページ第１０行から第１４行まで
「そこで、本発明は、電流駆動型発光素子における電流量や発光量が低下する経時劣化が発生した場合や該経時劣化がバラツキをもって発生した場合に、その経時劣化を適宜補正し、画面輝度の低下や画面ムラを低減することが可能な電流駆動型発光素子を備えた画素回路及び表示装置並びにこれらを備えた電子機器を提供することを技術的課題とする。」
　
（エ）第２４ページ第４行から第２８行まで
「以下、本発明を実施するための最良の形態について実施例毎に図面に基づいて説明する。
　先ず以下に説明する各実施例のＴＦＴ−ＯＥＬＤ（即ち、駆動用の薄膜トランジスタ及び該薄膜トランジスタにより電流駆動される有機ＥＬ素子）を備えた表示装置において共通する基本的な構成について図１及び図２を参照して説明する。ここに、図１は、表示装置の基本的な全体構成を示すブロック図であり、特に４つの相隣接する画素に夫々設けられた画素回路の基本的な回路構成を示す回路図を含む。また、図２は、この表示装置の一画素の平面図である。
　図１に示すように、表示装置１００は、ＴＦＴアレイ基板１上に、Ｘ方向に夫々延びておりＹ方向に配列された複数の走査線１３１と、Ｙ方向に夫々延びておりＸ方向に配列された複数の信号線１３２及び複数の共通線（共通給電線）１３３と、走査線１３１に走査信号を供給する走査線駆動回路１１と、信号線１３２にデータ信号を供給する信号線駆動回路１２と、共通線１３３に所定電位の正電源（又は負電源）を供給する共通線駆動回路１３とを備えて構成されている。そして、ＴＦＴアレイ基板１の中央には、表示領域１５が設けられており、表示領域１５内には、複数の画素１０がマトリクス状に規定されている。
　図１及び図２に示すように、各画素１０には、第２薄膜トランジスタの一例としてのスイッチングＴＦＴ２２１、スイッチングＴＦＴ２２１に制御されて各画素への電流を制御する第１薄膜トランジスタの一例としてのＴＦＴ（以下、カレントＴＦＴと称す）２２３、有機ＥＬ素子２２４及び保持容量２２２からなる画素回路が設けられている。更にカレントＴＦＴ２２３のドレインには、ＩＴＯ（Indium Tin Oxide）膜等からなる画素電極１４１が接続されており（図２参照）、画素電極１４１に対して有機ＥＬ素子２２４を介してＡｌ（アルミニウム）膜等からなる対向電極が対向配置されている。この対向電極は、例えば接地されているか或いは所定電位の負電源（又は正電源）に接続されている。」
　
（オ）第２８ページ第１３行から第１９行まで
「尚、本実施例では、測定した有機ＥＬ素子２２４を流れる測定電流量ＩＤに対応して、共通線１３３に印加される電圧、即ち画素電極１４１に印加される電圧を調整するように構成されている。しかしながら、本実施例の変形例として、このように測定された測定電流量ＩＤに対応して、走査線１３１、信号線１３２（走査線１３１及び信号線１３２を総称して“バス配線”と称す）、又は、対向電極（画素電極１４１及び対向電極を総称して“電極”と称す）に印加される電圧を調整するように構成してもよい。」
　
（カ）第２９ページ第２５行から第３１ページ第２行まで
「（第２実施例）
　図８は、本発明の第２実施例に係るＴＦＴ−ＯＥＬＤを備えた表示装置のブロック図である。図８において、図３に示した第１実施例と同じ構成要素には同じ参照符号を付し、その説明は省略する。
　本実施例では、表示領域１５に隣接して設けられた電流モニタ領域１７内のモニタ用有機ＥＬ素子１７ａに対し共通電極及び対向電極間の電圧が印加されており、表示期間には、表示用の有機ＥＬ素子２２４（図１参照）とほぼ同じ条件で、モニタ用有機ＥＬ素子１７ａは電流駆動される。そして、経時劣化に対する補正処理を行う際には、電流量測定器１６は、モニタ用有機ＥＬ素子１７ａを流れる電流Ｉｄｍを測定する。この電流量測定器１６による電流Ｉｄｍの測定値である測定電流量ＩＤを基準電流量Ｉｒｅｆに一致させるように、比較回路２１ａ、電圧制御回路２２ａ及びコントローラ２３により、共通電極駆動回路１３の出力電圧（Ｖｃｏｍ）を調整するように構成されている。その他の構成については、第１実施例の場合と同様である。
　以上のように構成されているため第２実施例によれば、有機ＥＬ素子２２４やカレントＴＦＴ２２３（図１及び図２参照）の電流量が低下する経時劣化が発生したときに、その経時劣化による電流低下を補正し、表示領域１５における画面輝度の低下を低減することが可能となる。
　尚、本実施例では特に、表示用の有機ＥＬ素子２２４とモニタ用ＥＬ素子１７ａとは、同一のＴＦＴアレイ基板１上に同一の製造工程により形成されている。従って、モニタ用有機ＥＬ素子１７ａを形成するための工程を別途設ける必要が無い。しかも、電流駆動される表示用の有機ＥＬ素子２２４とモニタ用有機ＥＬ素子１７ａとにおける経時劣化傾向を相類似させることができ、モニタ用有機ＥＬ素子１７ａを流れる電流Ｉｄｍに基づいて表示用の有機ＥＬ素子２２４における経時劣化に対する補正をかなり適切に行うことが可能となる。
　また第２実施例においても、第１実施例の場合と同様に、経時劣化に対する補正処理は、例えば表示期間に先立って表示装置１００の主電源投入時や一定の期間毎に行ってもよいし、リアルタイムで行ってもよい。更に、変形例として、このように測定された測定電流量ＩＤに対応して、走査線駆動回路１１、信号線駆動回路１２又は対向電極駆動回路１４における出力電圧を調整するように構成してもよい。特に、信号線駆動回路１２の出力電圧を調整する変形例の場合には、コントローラ２３による制御下で、明るさの相異なる複数の表示を電流モニタ領域１７で行うようにモニタ用有機ＥＬ素子１７ａを駆動すれば、各明るさに対して得られる測定電流量ＩＤを夫々対応する基準電流量Ｉｒｅｆに一致させるようにデータ信号の電圧Ｖｓｉｇを調整することにより、経時劣化による電流電圧特性に複雑な変化が生じた場合等にも対処可能である。」
　
（キ）第３１ページ第２６行から第３２ページ第３行まで
「また第３実施例においても、第１実施例の場合と同様に、経時劣化に対する補正は、例えば表示期間に先立って表示装置１００の主電源投入時や一定の期間毎に行ってもよいし、リアルタイムで行ってもよい。更に、変形例として、このように測定された測定発光量ＬＤに対応して、走査線駆動回路１１、信号線駆動回路１２又は対向電極駆動回路１４における出力電圧を調整するように構成してもよいし、経時劣化に対する補正を行う際の所定パターンは一種類でも複数種類でもよい。」
　
（ク）第３２ページ第８行から第３３ページ第１５行まで
「（第４実施例）
　図１０は、本発明の第４実施例に係るＴＦＴ−ＯＥＬＤを備えた表示装置のブロック図である。図１０において、図３及び図９に夫々示した第１及び第３実施例と同じ構成要素には同じ参照符号を付し、その説明は省略する。
　本実施例では、表示領域１５に隣接して設けられた発光モニタ領域１９内のモニタ用有機ＥＬ素子１９ａに対し共通電極及び対向電極間の電圧が印加されており、表示期間には、表示用の有機ＥＬ素子２２４（図１参照）とほぼ同じ条件で、モニタ用有機ＥＬ素子１９ａは電流駆動される。そして、経時劣化に対する補正を行う際には、発光量測定器１８は、モニタ用有機ＥＬ素子１９ａの発光を測定する。この発光量測定器１８による発光の測定値である測定発光量ＬＤを基準発光量Ｌｒｅｆに一致させるように、比較回路２１ｂ、電圧制御回路２２ａ及びコントローラ２３により、共通電極駆動回路１３の出力電圧を調整するように構成されている。その他の構成については、第１及び第３実施例の場合と同様である。
　以上のように構成された第４実施例によれば、第３実施例の場合と同様に、カレントＴＦＴ２２３（図１及び図２参照）や有機ＥＬ素子２２４における電圧に対する電流量が低下する経時劣化、有機ＥＬ素子２２４における駆動電流に対する発光量が低下する経時劣化などが発生し、最終的に有機ＥＬ素子２２４における発光量が低下したときに、その発光量低下分を補正し、表示領域１５における画面輝度の低下を防ぐことが可能となる。
　また第４実施例においても、第１実施例の場合と同様に、経時劣化に対する補正は、例えば表示期間に先立って表示装置１００の主電源投入時や一定の期間毎に行ってもよいし、リアルタイムで行ってもよい。更に、変形例として、このように測定された測定発光量ＬＤに対応して、走査線駆動回路１１、信号線駆動回路１２又は対向電極駆動回路１４における出力電圧を調整するように構成してもよいし、経時劣化に対する補正を行う際の所定パターンは一種類でも複数種類でもよい。特に、信号線駆動回路１２の出力電圧を調整する変形例の場合には、コントローラ２３による制御下で、複数の所定パターンについて測定発光量ＬＤを夫々対応する基準発光量Ｌｒｅｆに一致させるようにデータ信号の電圧Ｖｓｉｇを調整することにより、経時劣化による電流電圧特性の複雑な変化にも対処可能となる。
　尚、本実施例では特に、表示用の有機ＥＬ素子２２４とモニタ用有機ＥＬ素子１９ａとは、同一のＴＦＴアレイ基板１上に同一の製造工程により形成されている。従って、モニタ用ＥＬ素子１９ａを形成するための工程を別途設ける必要が無い。しかも、電流駆動される表示用の有機ＥＬ素子２２４とモニタ用有機ＥＬ素子１９ａとにおける経時劣化傾向は相類似したものにすることができ、モニタ用ＥＬ素子１９ａから発せられる光に基づいて表示用の有機ＥＬ素子２２４における経時劣化に対する補正を正確に行うことが可能となる。」
　
イ．刊行物３に記載された技術事項（１）（技術事項３）
　上記ア．（ア）から（ク）までの記載と、図１、２、８及び１０に示された事項とを総合すると、刊行物３には、以下の技術事項（以下、「技術事項３」という。）が記載されている。
　
「複数の画素１０がマトリクス状に規定された表示領域１５が中央に設けられたＴＦＴアレイ基板１を含み、前記複数の画素１０のそれぞれが表示用有機ＥＬ素子２２４を有する表示装置において、
　前記ＴＦＴアレイ基板１の前記表示領域１５に隣接して電流モニタ領域１７又は発光モニタ領域１９を設け、
　前記電流モニタ領域１７又は前記発光モニタ領域１９に、モニタ用有機ＥＬ素子１７ａ又はモニタ用有機ＥＬ素子１９ａを形成し、
　前記モニタ用有機ＥＬ素子１７ａを流れる電流を電流量測定器１６で測定し、又は前記モニタ用有機ＥＬ素子１９ａの発光量を発光量測定器１９で測定し、
　前記電流量測定器１６で測定した測定電流量ＩＤを基準電流量Ｉｒｅｆに一致させるように、又は前記発光量測定器１９で測定した測定発光量ＬＤを基準発光量Ｌｒｅｆに一致させるように、画素電極１４１、走査線１３１、信号線１３２又は対向電極に印加される電圧を調整することにより、
　前記表示用有機ＥＬ素子２２４の経時劣化を補正する。」
　
ウ．刊行物３に記載された技術事項（２）（技術事項４）
　同じく、上記ア．（ア）から（ク）までの記載と、図１、２、８及び１０に示された事項とを総合すると、刊行物３には、以下の技術事項（以下、「技術事項４」という。）が記載されている。
　
「複数の画素１０がマトリクス状に規定された表示領域１５が中央に設けられたＴＦＴアレイ基板１を含み、前記複数の画素１０のそれぞれが表示用有機ＥＬ素子２２４を有する表示装置において、
　前記ＴＦＴアレイ基板１の前記表示領域１５に隣接して電流モニタ領域１７又は発光モニタ領域１９を設け、
　前記電流モニタ領域１７又は前記発光モニタ領域１９に、前記表示用有機ＥＬ素子２２４と同一の製造工程でモニタ用有機ＥＬ素子１７ａ又はモニタ用有機ＥＬ素子１９ａを形成する。」
　
２．本件補正発明１について
（１）対比
　本件補正発明１と引用発明１とを対比すると、以下のとおりである。
　
ア．本件補正発明１の「駆動電流に応じて発光する自発光素子」は、具体的には例えば「有機ＥＬ素子である」（請求項８）から、引用発明１の「表示用ＯＬＥＤ１０７」は、本件補正発明１の「駆動電流に応じて発光する自発光素子」に相当する。
　また、引用発明１の「有機発光表示装置」は、本件補正発明１の「表示装置」に相当する。
　
イ．引用発明１の「表示用画素部１０１」は、本件補正発明１の「表示領域」に相当する。
　したがって、引用発明１の「ＯＬＥＤパネルを表示部２００３に用いた有機発光表示装置であって、前記ＯＬＥＤパネルは、複数の表示用画素１０２がマトリクス状に形成された表示用画素部１０１…を有し、…前記表示用画素１０２には表示用ＯＬＥＤ１０７が…設けられており」は、本件補正発明１の「駆動電流に応じて発光する自発光素子を表示領域にマトリクス状に配置した表示装置」に相当する。
　
ウ．引用発明１の「複数のモニター用画素１０４がマトリクス状に形成されたモニター用画素部１０３」は、本件補正発明１の「表示領域と異なる測定用画素」に相当する。
　また、引用発明１の「表示用ＯＬＥＤ１０７」及び「モニター用ＯＬＥＤ１０８」は、それぞれ本件補正発明１の「表示領域に形成した有機ＥＬ素子」及び「測定用自発光素子」に相当する。
　したがって、引用発明１の「前記ＯＬＥＤパネルは、複数の表示用画素１０２がマトリクス状に形成された表示用画素部１０１と、複数のモニター用画素１０４がマトリクス状に形成されたモニター用画素部１０３とを有し、前記表示用画素部１０１と前記モニター用画素部１０３とは、同じ基板上に形成されており、…前記モニター用画素１０４にはモニター用ＯＬＥＤ１０８が…設けられており」と、本件補正発明１の「表示領域と異なる測定用画素内に形成され、表示領域に形成した有機ＥＬ素子と同じ工程で形成される測定用自発光素子」とは、「表示領域と異なる測定用画素内に形成される測定用自発光素子」である点で共通する。
　
エ．引用発明１の「前記モニター用ＯＬＥＤ１０８には、当該モニター用ＯＬＥＤ１０８をオンオフ制御する駆動用ＴＦＴ１２１が接続され」は、本件補正発明１の「前記測定用画素内に形成され、前記測定用自発光素子に流れる駆動電流をオンオフにより制御する駆動トランジスタ」に相当する。
　
オ．引用発明１の「前記表示用ＯＬＥＤ１０７及び前記モニター用ＯＬＥＤ１０８は、それぞれＲ（赤）、Ｇ（緑）、Ｂ（青）の３種類であり」は、本件補正発明１の「前記表示領域の自発光素子および測定用自発光素子は、赤（Ｒ）、緑（Ｇ）、青（Ｂ）の３色を有する」に相当する。
　
カ．引用発明１の「モニター用デジタルビデオ信号」は、本件補正発明１の「駆動電圧」に相当する。
　したがって、引用発明１の「前記駆動用ＴＦＴ１２１のゲート電極にモニター用デジタルビデオ信号を入力するソース線駆動回路１０５」は、本件補正発明の「前記駆動トランジスタのゲートに駆動電圧を供給する駆動電圧供給手段」に相当する。
　
キ．本件補正発明１の「駆動状態検出手段」が検出する「駆動電圧が供給されたときにおける測定用自発光素子の駆動状態」は、具体的には例えば「測定用自発光素子に流れる駆動電流」（請求項２）や「測定用自発光素子の発光量」（請求項３）であるから、引用発明１の「前記モニター用デジタルビデオ信号が入力されてモニター用ＯＬＥＤ１０８が発光するときに流れる電流」は、本件補正発明１の「前記駆動電圧供給手段により駆動電圧が供給されたときにおける測定用自発光素子の駆動状態」に相当する。
　そして、引用発明１の「前記モニター用デジタルビデオ信号が入力されてモニター用ＯＬＥＤ１０８が発光するときに流れる電流を測定する、色ごとに設けられた電流計１１１」と、本件補正発明１の「前記駆動電圧供給手段により駆動電圧が供給されたときにおける測定用自発光素子の駆動状態を検出する駆動状態検出手段」及び「前記駆動状態検出手段は、ＲＧＢ各色の測定用自発光素子に共通して１系統備えられ、ＲＧＢの測定タイミングをずらして時分割でＲＧＢ各色の測定用自発光素子と接続することで駆動状態を検出し」とは、「前記駆動電圧供給手段により駆動電圧が供給されたときにおける測定用自発光素子の駆動状態を検出する駆動状態検出手段」である点で共通する。
　
ク．引用発明１の「表示用可変電源１０９兼モニター用可変電源１１０」が「前記表示用ＯＬＥＤ１０７及び前記モニター用ＯＬＥＤ１０８に…印加する」「電圧」は、本件補正発明１の「前記表示領域の自発光素子および測定用自発光素子に印加する電圧ＶＤＤ−ＶＳＳ」に相当する。
　そうすると、引用発明１の「表示用可変電源１０９兼モニター用可変電源１１０の電源線側の電位Ｖｄｄを固定し、対向電極側の電位Ｖｓｓを制御する」と、本件補正発明１の「電源電圧ＶＤＤを固定値とし、電源電圧ＶＳＳに初期値を設定する」及び「前記電源電圧ＶＳＳを輝度に応じて変更するようにして設定し直し、前記最大輝度の値が設定値に対し所定範囲内に収まるまで前記電源電圧ＶＳＳの設定し直す動作を繰り返す」とは、「電源電圧ＶＤＤを固定値とし、電源電圧ＶＳＳを設定し直す」点で共通する。
　したがって、引用発明１の「前記表示用ＯＬＥＤ１０７及び前記モニター用ＯＬＥＤ１０８に電圧を印加する、色ごとに設けられた表示用可変電源１０９兼モニター用可変電源１１０」及び「前記色ごとに設けられた電流計１１１が測定した電流の測定値を基準値と比較し、前記測定値が前記基準値に近づくように、前記色ごとに設けられた表示用可変電源１０９兼モニター用可変電源１１０の電源線側の電位Ｖｄｄを固定し、対向電極側の電位Ｖｓｓを制御する、各色共通に設けられた補正回路１１２」と、本件補正発明１の「前記表示領域の自発光素子および測定用自発光素子に印加する電圧ＶＤＤ−ＶＳＳにおいて、電源電圧ＶＤＤを固定値とし、電源電圧ＶＳＳに初期値を設定することで、前記駆動状態検出手段におけるＲＧＢ各色の測定用自発光素子の駆動状態から、所定のホワイトポイントで出力できるＲＧＢ各色の最大輝度を求め、得られた最大輝度の値が設定値に対し所定範囲内に収まっているかを判定し、収まっていれば前記ホワイトポイントを与える最大階調をＲＧＢ表示用画素の最大階調に設定し、ＲＧＢ表示用画素の表示データを設定し、前記最大輝度の値が設定値に対し所定範囲内に収まっていなければ、前記電源電圧ＶＳＳを輝度に応じて変更するようにして設定し直し、前記最大輝度の値が設定値に対し所定範囲内に収まるまで前記電源電圧ＶＳＳの設定し直す動作を繰り返すことで、所定のホワイトポイントを所定の輝度で実現する表示データ設定手段」とは、「前記表示領域の自発光素子および測定用自発光素子に印加する電圧ＶＤＤ−ＶＳＳにおいて、電源電圧ＶＤＤを固定値とし、電源電圧ＶＳＳを設定し直す設定手段」である点で共通する。
　
ケ．以上のことをまとめると、本件補正発明１と引用発明１との一致点及び相違点は、以下のとおりである。
　
（一致点）
「駆動電流に応じて発光する自発光素子を表示領域にマトリクス状に配置した表示装置であって、
　表示領域と異なる測定用画素内に形成される測定用自発光素子と、
　前記測定用画素内に形成され、前記測定用自発光素子に流れる駆動電流をオンオフにより制御する駆動トランジスタと、
　前記駆動トランジスタのゲートに駆動電圧を供給する駆動電圧供給手段と、
　前記駆動電圧供給手段により駆動電圧が供給されたときにおける測定用自発光素子の駆動状態を検出する駆動状態検出手段と、
　を有し、
　前記表示領域の自発光素子および測定用自発光素子は、赤（Ｒ）、緑（Ｇ）、青（Ｂ）の３色を有すると共に、
　前記表示領域の自発光素子および測定用自発光素子に印加する電圧ＶＤＤ−ＶＳＳにおいて、電源電圧ＶＤＤを固定値とし、電源電圧ＶＳＳを設定し直す設定手段を有する表示装置。」
　
（相違点１）
　本件補正発明１の「測定用自発光素子」は、「表示領域に形成した有機ＥＬ素子と同じ工程で形成される」のに対し、引用発明１の「モニター用ＯＬＥＤ１０８」（本件補正発明１の「測定用自発光素子」に相当する。）は、どのような工程で形成されるか明らかでない点。
　
（相違点２）
　本件補正発明１の「駆動状態検出手段」は、「ＲＧＢ各色の測定用自発光素子に共通して１系統備えられ、ＲＧＢの測定タイミングをずらして時分割でＲＧＢ各色の測定用自発光素子と接続することで駆動状態を検出」するのに対し、引用発明１の「電流計１１１」（本件補正発明１の「駆動状態検出手段」に相当する。）は、「色ごとに設けられた」ものである点。
　
（相違点３）
　本件補正発明１の「設定手段」である「表示データ設定手段」は、「前記表示領域の自発光素子および測定用自発光素子に印加する電圧ＶＤＤ−ＶＳＳにおいて、電源電圧ＶＤＤを固定値とし、電源電圧ＶＳＳに初期値を設定することで、前記駆動状態検出手段におけるＲＧＢ各色の測定用自発光素子の駆動状態から、所定のホワイトポイントで出力できるＲＧＢ各色の最大輝度を求め、得られた最大輝度の値が設定値に対し所定範囲内に収まっているかを判定し、収まっていれば前記ホワイトポイントを与える最大階調をＲＧＢ表示用画素の最大階調に設定し、ＲＧＢ表示用画素の表示データを設定し、前記最大輝度の値が設定値に対し所定範囲内に収まっていなければ、前記電源電圧ＶＳＳを輝度に応じて変更するようにして設定し直し、前記最大輝度の値が設定値に対し所定範囲内に収まるまで前記電源電圧ＶＳＳの設定し直す動作を繰り返すことで、所定のホワイトポイントを所定の輝度で実現する」のに対し、引用発明１の「設定手段」である「色ごとに設けられた表示用可変電源１０９兼モニター用可変電源１１０」及び「各色共通に設けられた補正回路１１２」は、「前記色ごとに設けられた電流計１１１が測定した電流の測定値を基準値と比較し、前記測定値が前記基準値に近づくように、前記色ごとに設けられた表示用可変電源１０９兼モニター用可変電源１１０の電源線側の電位Ｖｄｄを固定し、対向電極側の電位Ｖｓｓを制御する」点。
　
（２）相違点についての判断
ア．相違点１について
　引用発明１は、「同じ基板上に形成」された「表示用ＯＬＥＤ１０７」及び「モニター用ＯＬＥＤ１０８」を備える「有機発光表示装置」である。一方、技術事項４は、同じ「ＴＦＴアレイ基板１」に形成された「表示用有機ＥＬ素子２２４」及び「モニタ用ＥＬ素子１７ａ又はモニタ用ＥＬ素子１９ａ」を備える「表示装置」に関するものである。したがって、両者は、同じ基板上に形成された表示用ＯＬＥＤ及びモニター用ＯＬＥＤを備える有機発光表示装置である点で共通する。
　そうすると、引用発明１の「同じ基板上に形成」された「表示用ＯＬＥＤ１０７」及び「モニター用ＯＬＥＤ１０８」を、技術事項４に従って「同一の製造工程で…形成する」ことは、当業者が容易に思い付くことである。
　その結果、相違点１に係る構成が得られることは明らかである。
　
イ．相違点２について
　引用発明１では、「電流計１１１」は色ごとに設けられる一方、「補正回路１１２」は各色共通に設けられる。すなわち、３種類（Ｒ（赤）、Ｇ（緑）及びＢ（青））の「モニター用ＯＬＥＤ１０８」のそれぞれに１個ずつ、合計３個の「電流計１１１」に対して、１個の「補正回路１１２」が設けられる。このとき、３個の「電流計１１１」から入力される電流の測定値を同時並行処理する「補正回路１１２」を用いるか、３個の「電流計１１１」と１個の「補正回路１１２」との間に切り替えスイッチを設けて時分割処理する必要があることは、当業者にとって自明である。さらに、３個の「電流計１１１」は、接続される「モニター用ＯＬＥＤ１０８」の種類が異なるだけで、機能は同一であるから、時分割処理を採用する際に、３種類の「モニター用ＯＬＥＤ１０８」と１個の「電流計１１１」とを切り替えスイッチで接続することで、１個の「電流計１１１」を３種類の「モニター用ＯＬＥＤ１０８」の間で兼用する程度のことは、当業者が適宜行い得ることにすぎない。
　この結果、３種類の「モニター用ＯＬＥＤ１０８」は、切り替えスイッチによって１個の「電流計１１１」及び１個の「補正回路１１２」に接続されることになるから、相違点２に係る構成が得られることは明らかである。
　
ウ．相違点３について
（ア）本件補正発明１の「表示データ設定手段」の動作
　相違点３について判断するために、本件補正発明１の「表示データ設定手段」の動作を検討する。
　本件補正発明１の「表示データ設定手段」は、まず、「前記表示領域の自発光素子および測定用自発光素子に印加する電圧ＶＤＤ−ＶＳＳにおいて、電源電圧ＶＤＤを固定値とし、電源電圧ＶＳＳに初期値を設定することで、前記駆動状態検出手段におけるＲＧＢ各色の測定用自発光素子の駆動状態から、所定のホワイトポイントで出力できるＲＧＢ各色の最大輝度を求め、得られた最大輝度の値が設定値に対し所定範囲内に収まっているかを判定し、…前記最大輝度の値が設定値に対し所定範囲内に収まっていなければ、前記電源電圧ＶＳＳを輝度に応じて変更するようにして設定し直し、前記最大輝度の値が設定値に対し所定範囲内に収まるまで前記電源電圧ＶＳＳの設定し直す動作を繰り返す」ことにより、「電源電圧ＶＳＳ」を設定する。
　次に、「前記ホワイトポイントを与える最大階調をＲＧＢ表示用画素の最大階調に設定し、ＲＧＢ表示用画素の表示データを設定」する。
　したがって、本件補正発明１の「表示データ設定手段」は、「電源電圧ＶＳＳ」及び「ＲＧＢ表示用画素の表示データ」の双方を設定することにより、「所定のホワイトポイントを所定の輝度で実現する」ものである。
　
（イ）引用発明１と技術事項２との組み合わせ
　引用発明１は、ＯＬＥＤの経時劣化又は環境温度変化による輝度や色合いの変化の抑制を目的としている（上記１．（１）ア．（イ））。そして、モニター用ＯＬＥＤ１０８に流れる電流が基準値に近づくように、対向電極側の電位Ｖｓｓを色ごとに制御する。モニター用ＯＬＥＤ１０８の劣化度合いは、表示用ＯＬＥＤ１０７の劣化度合いと同程度になるようにされている（上記１．（１）ア．（ウ）、段落００１９及び００２０）から、モニター用ＯＬＥＤ１０８に流れる電流が基準値に近づくように対向電極側の電位Ｖｓｓを色ごとに制御すると、表示用ＯＬＥＤ１０７に流れる電流も基準値に近づくことになる。その結果、Ｒ（赤）、Ｇ（緑）、Ｂ（青）の３種類の表示用ＯＬＥＤ１０７は、それぞれを流れる基準値の電流に対応した輝度で発光し、３種類の表示用ＯＬＥＤ１０７からなる表示用画素１０２は、全体として、基準の輝度及び基準の色合いで発光する（上記１．（１）ア．（ウ）、段落００２３から００２５まで）。すなわち、引用発明１は、輝度及び色合いの変化を同時に抑制するものである。
　一方、技術事項２は、有機ＥＬディスプレイに関するものであり、発光輝度管理画素２２の３個（赤色（Ｒ）、緑色（Ｇ）及び青色（Ｂ））の発光素子の輝度の検出値と初期値との比を求め、その比を、表示領域に配置された各画素の３個の発光素子の発光量を指定する入力信号に乗じることで、各画素の輝度及び色温度の経時変化を補正する。技術事項２でも、各画素と発光輝度管理画素２２とは経時変化が同程度である（上記１．（２）ア．（ウ）、段落００８０）から、技術事項２では、要するに、各画素の３個の発光素子に入力する信号を、各発光素子の発光量が低下した分だけ大きくすることにより、各発光素子の輝度を初期値のままに保っている。その結果、各画素は、全体として初期の輝度及び初期の色合いで発光するから、技術発明２も、輝度及び色合いの変化を同時に抑制するものである。
　引用発明１と技術事項２とは、モニター用ＯＬＥＤの駆動状態に基づいて、輝度及び色合いの変化を同時に抑制する点で共通するから、技術事項２を引用発明１に適用することは、当業者が容易に思い付くことである。
　ところが、技術事項２を引用発明１に適用したものは、以下に述べるとおり、相違点３に係る構成、特に「電源電圧ＶＳＳ」を設定する構成を備えない。
　引用発明１では、輝度及び色合いの変化を同時に抑制するという目的を達成するために、モニター用ＯＬＥＤ１０８に流れる電流が基準値に近づくように、対向電極側の電位Ｖｓｓを色ごとに制御している。一方、技術事項２は、同じ目的を達成するために、各画素の３個の発光素子に入力する信号を、各発光素子の発光量が低下した分だけ大きくすることを示唆している。したがって、技術事項２を引用発明１に適用したものは、モニター用ＯＬＥＤ１０８に流れる電流が基準値に近づくように、対向電極側の電位Ｖｓｓを色ごとに制御する代わりに、各画素の３個の発光素子に入力する信号を、各発光素子の発光量が低下した分だけ大きくすることになる。
　技術事項２を引用発明１に適用したものは、対向電極側の電位Ｖｓｓを制御しないものとなるから、「電源電圧ＶＳＳ」を設定する構成を備えない。
　なお、刊行物２には、輝度の経時変化が一番大きい発光素子（例えば青色（Ｂ）の発光素子）を基準に選び、他の発光素子の輝度が基準に選んだ発光素子の輝度と同じように経時変化するように、比ＫＲ、ＫＧ及びＫＢを決めるという技術事項も記載されている（上記１．（２）ア．（イ））。この場合、輝度の変化を抑制することはできず、色合いの変化だけを抑制することになるから、この技術事項を、輝度及び色合いの変化を同時に抑制する引用発明１に適用する動機が見いだせない。
　
（ウ）引用発明１と技術事項３との組み合わせ
　技術事項３は、表示用有機ＥＬ素子２２４を有する表示装置に関するものである。そして、モニタ用有機ＥＬ素子１７ａを流れる電流が基準電流量Ｉｒｅｆに一致するように、又はモニタ用有機ＥＬ素子１９ａの発光量が基準発光量Ｌｒｅｆに一致するように、画素電極１４１、走査線１３１、信号線１３２又は対向電極に印加される電圧を調整することで、表示用有機ＥＬ素子２２４の経時劣化を補正する。
　引用発明１と技術事項３とは、モニター用ＯＬＥＤを流れる電流に基づいて、表示用ＯＬＥＤの経時劣化を補正する点で共通するから、技術事項３を引用発明１に適用することは、当業者が容易に思い付くことである。
　ところで、技術事項３の「対向電極に印加される電圧」は、引用発明１の「対向電極側の電位Ｖｓｓ」に相当する。そして、技術事項３は、「対向電極に印加される電圧」に代えて、「画素電極１４１、走査線１３１、信号線１３２…に印加される電圧」を調整することを示唆している。したがって、技術事項３を引用発明１に適用したものは、モニター用ＯＬＥＤ１０８に流れる電流が基準値に近づくように、対向電極側の電位Ｖｓｓを色ごとに制御する代わりに、画素電極、走査線又は信号線に印加される電圧を調整することになる。
　そうすると、技術事項３を引用発明１に適用したものも、相違点３に係る構成、特に「電源電圧ＶＳＳ」を設定する構成を備えない。
　
（エ）相違点３についてのまとめ
　相違点３に係る構成は、技術事項２又は３を引用発明１に適用することによって得られるものではない。
　
（３）本件補正発明１についてのまとめ
　以上のとおりであるから、本件補正発明１は、引用発明１と技術事項２又は３とに基づいて当業者が容易に発明をすることができたものであるとすることはできない。すなわち、本件補正発明１は、特許法第２９条第２項の規定により特許出願の際独立して特許を受けることができないとすることはできない。
　また、他に特許出願の際独立して特許を受けることができないとすべき理由を発見しない。
　
３．本件補正発明２から８までについて
　請求項２から８までは、いずれも請求項１の記載を引用して記載した請求項であり、本件補正発明２から８までは、いずれも本件補正発明１の発明特定事項を全て含む。
　したがって、本件補正発明２から８までは、本件補正発明１と同様、引用発明１と技術事項２又は３とに基づいて当業者が容易に発明をすることができたものであるとすることはできない。すなわち、本件補正発明２から８までも、特許法第２９条第２項の規定により特許出願の際独立して特許を受けることができないとすることはできない。
　また、他に特許出願の際独立して特許を受けることができないとすべき理由を発見しない。
　
４．独立特許要件についての判断のまとめ
　本件補正発明１から８までは、いずれも特許出願の際独立して特許を受けることができるものであると認められる。したがって、本件補正は、特許法第１７条の２第５項で準用する同法第１２６条第５項の規定に適合する。
　
第４　本件出願に係る発明について
１．本件出願に係る発明
　上記「第２」及び上記「第３」で述べたとおり、本件補正は適法と認められるから、本件出願に係る発明は、本件補正後の請求項１から８までのそれぞれに係る発明、すなわち、本件補正発明１から８までである。
　そこで、以下では、本件補正発明１から８までのそれぞれを、改めて「本件発明１」、「本件発明２」などという。
　
２．原査定の拒絶の理由
　原査定の拒絶の理由は、概略以下のとおりである。
　
「本件発明１から８までは、いずれも、本件出願前に日本国内又は外国において頒布された刊行物１及び２のそれぞれに記載された発明に基づいて、本件出願前にその発明の属する技術の分野における通常の知識を有する者が容易に発明をすることができたものであるから、特許法第２９条第２項の規定により特許を受けることができない。
　
　　刊行物１：特開２００２−３０４１５５号公報（前掲）
　　刊行物２：特開２００２−２５８７９２号公報（前掲）」
　
３．判断
　上記「第３」で述べたとおり、本件発明１から８までは、いずれも、刊行物１に記載された発明（引用発明１）と刊行物２に記載された技術事項（技術事項２）とに基づいて当業者が容易に発明をすることができたものであるとすることはできない。
　
第５　むすび
　以上のとおりであるから、本件出願については、原査定の拒絶の理由によって拒絶すべきものとすることはできない。
　また、他に本件出願を拒絶すべき理由を発見しない。
　よって、結論のとおり審決する。